【手続補正書】
【提出日】平成28年5月17日(2016.5.17)
【手続補正１】
【補正対象書類名】特許請求の範囲
【補正対象項目名】全文
【補正方法】変更
【補正の内容】
【特許請求の範囲】
【請求項１】
ワイヤレス通信における遅延を低減する方法であって、
アクセスポイントが第１の局にリソースを割り振り、かつ同期するために、前記第１の局が、要求を前記アクセスポイントに送信することと、前記要求は、要求されたネットワークアドレスを備える、
前記第１の局が、前記アクセスポイントから応答を受信することと、前記応答は、前記アクセスポイントによって割り当てられた、割り当てられたネットワークアドレスの少なくとも一部分、および少なくとも１つのドメイン名システムサーバの少なくとも１つのネットワークアドレスを示し、前記割り当てられたネットワークアドレスは、前記要求されたネットワークアドレスおよび前記割り当てられたネットワークアドレスとは異なる前記少なくとも１つのドメイン名システムサーバの前記少なくとも１つのネットワークアドレスを備える、
を備える、方法。
【請求項２】
割り当てられたネットワークアドレスの前記少なくとも一部分は、インターフェース識別子を備える、請求項１に記載の方法。
【請求項３】
前記インターフェース識別子に基づいて、前記第１の局のインターネットプロトコルバージョン６ネットワークアドレスを決定することをさらに備える、請求項２に記載の方法。
【請求項４】
前記第１の局が、第２の局の対応する媒体アクセス制御アドレスへの前記第２の局のインターネットプロトコルアドレスのマッピングを受信することをさらに備える、請求項１に記載の方法。
【請求項５】
割り当てられたネットワークアドレスの前記少なくとも一部分は、インターネットプロトコルバージョン４アドレスを備える、請求項１に記載の方法。
【請求項６】
前記応答は、前記少なくとも１つのドメイン名システムサーバのインターネットプロトコルアドレスをさらに備える、請求項１に記載の方法。
【請求項７】
前記応答は、前記第１の局が前記ドメイン名システムサーバと通信するために使用することができる少なくとも１つのゲートウェイの少なくとも１つの媒体アクセス制御アドレスをさらに備える、請求項１に記載の方法。
【請求項８】
ワイヤレス通信における遅延を低減する方法であって、
アクセスポイントにおいて、第１の局から認証要求フレームを受信することと、
前記認証要求フレームに応答して、少なくとも前記第１の局についてのネットワークアドレス割当てサーバへのネットワークアドレス割当てについての要求、またはドメイン名システムサーバのネットワークアドレスについての要求を送信することと、
割り当てられたネットワークアドレスの少なくとも一部分または前記ドメイン名システムサーバの前記ネットワークアドレスを受信することと、
ネットワークアドレス割当てについての前記要求を送信した後、前記アクセスポイントが前記第１の局にリソースを割り振り、かつ同期するために、前記第１の局から要求を受信することと、前記要求は、前記第１の局によって要求されたネットワークアドレスを備える、
応答を前記第１の局に送信することと、前記応答は、割り当てられたネットワークアドレスの前記少なくとも一部分、および前記ドメイン名システムサーバの前記ネットワークアドレスを備え、前記割り当てられたネットワークアドレスは、前記第１の局によって要求された前記ネットワークアドレスおよび前記割り当てられたネットワークアドレスとは異なる前記ドメイン名システムサーバの前記ネットワークアドレスを備える、
を備える、方法。
【請求項９】
前記要求に応答して、前記ネットワークアドレスの少なくとも一部分を前記第１の局に割り当てることをさらに備える、請求項８に記載の方法。
【請求項１０】
割り当てられたネットワークアドレスの前記少なくとも一部分は、インターネットプロトコルバージョン６インターフェース識別子を備える、請求項８に記載の方法。
【請求項１１】
前記応答は、第２の局に割り当てられた対応するネットワークアドレスへの前記第２の局のネットワークアクセス識別子のマッピングをさらに備え、ここにおいて、前記ネットワークアクセス識別子は、前記第２の局をワイヤレス通信ネットワークへのアクセスを有するものとして識別する、請求項８に記載の方法。
【請求項１２】
割り当てられたネットワークアドレスの前記少なくとも一部分は、インターネットプロトコルバージョン４アドレスを備える、請求項８に記載の方法。
【請求項１３】
前記応答は、前記第１の局が前記ドメイン名システムサーバと通信するために使用することができるゲートウェイの少なくとも１つの媒体アクセス制御アドレスをさらに備える、請求項８に記載の方法。
【請求項１４】
ワイヤレス通信における遅延を低減するための装置であって、
アクセスポイントが第１の局にリソースを割り振り、かつ同期するために、前記第１の局が、要求を前記アクセスポイントに送信するように構成された送信機と、前記要求は、要求されたネットワークアドレスを備える、
前記第１の局が、前記アクセスポイントから応答を受信するように構成された受信機と、前記応答は、前記第１の局に割り当てられたネットワークアドレスの少なくとも一部分、およびドメイン名システムサーバのネットワークアドレスを示し、前記割り当てられたネットワークアドレスは、前記要求されたネットワークアドレスおよび前記割り当てられたネットワークアドレスとは異なる前記ドメイン名システムサーバの前記ネットワークアドレスを備える、
を備える、装置。
【請求項１５】
前記第１の局に割り当てられたネットワークアドレスの前記少なくとも一部分は、インターネットプロトコルバージョン６インターフェース識別子を備える、請求項１４に記載の装置。
【請求項１６】
前記インターフェース識別子に基づいて、ネットワークアドレスを決定することをさらに備える、請求項１５に記載の装置。
【請求項１７】
第２の局の対応する媒体アクセス制御アドレスへの前記第２の局のインターネットプロトコルアドレスのマッピングを受信することをさらに備える、請求項１４に記載の装置。
【請求項１８】
前記第１の局に割り当てられたネットワークアドレスの前記少なくとも一部分は、インターネットプロトコルバージョン４アドレスを備える、請求項１４に記載の装置。
【請求項１９】
前記応答は、前記ドメイン名システムサーバのネットワークアドレスをさらに備える、請求項１４に記載の装置。
【請求項２０】
前記応答は、前記第１の局が前記ドメイン名システムサーバと通信するために使用することができるゲートウェイの媒体アクセス制御アドレスをさらに備える、請求項１４に記載の装置。
【請求項２１】
ワイヤレス通信における遅延を低減するための装置であって、
アクセスポイントにおいて、第１の局から認証要求フレームを受信するように構成された受信機と、
前記認証要求フレームに応答して、少なくとも前記第１の局についてのネットワークアクセス割当てサーバへのネットワークアドレス割当てについての要求、またはドメイン名システムサーバのネットワークアドレスについての要求を送信するように構成された送信機と
を備え、前記受信機は、前記ネットワークアクセス割当てサーバからのネットワークアドレスの少なくとも一部分、または前記ドメイン名システムサーバの前記ネットワークアドレスを受信するようにさらに構成され、
前記受信機は、ネットワークアドレス割当てについての前記要求を送信した後、前記アクセスポイントが前記第１の局にリソースを割り振り、かつ同期するために、前記第１の局から要求を受信するようにさらに構成され、前記要求は、前記第１の局によって要求されたネットワークアドレスを備える、
前記送信機は、応答を前記第１の局に送信するようにさらに構成され、前記応答は、割り当てられたネットワークアドレスの前記少なくとも一部分、および前記ドメイン名システムサーバの前記ネットワークアドレスを備え、前記割り当てられたネットワークアドレスは、前記第１の局によって要求された前記ネットワークアドレスおよび前記割り当てられたネットワークアドレスとは異なる前記ドメイン名システムサーバの前記ネットワークアドレスを備える、装置。
【請求項２２】
前記要求に応答して、前記ネットワークアドレスの少なくとも一部分を前記第１の局に割り当てることをさらに備える、請求項２１に記載の装置。
【請求項２３】
割り当てられたネットワークアドレスの前記少なくとも一部分は、インターネットプロトコルバージョン６インターフェース識別子を備える、請求項２１に記載の装置。
【請求項２４】
前記応答は、第２の局について対応するネットワークアクセス識別子への前記第２の局のネットワークアドレスのマッピングをさらに備え、ここにおいて、前記ネットワークアクセス識別子は、前記第２の局をワイヤレス通信ネットワークへのアクセスを有するものとして識別する、請求項２１に記載の装置。
【請求項２５】
割り当てられたネットワークアドレスの前記少なくとも一部分は、インターネットプロトコルバージョン４アドレスを備える、請求項２１に記載の装置。
【請求項２６】
前記応答は、前記ドメイン名システムサーバのネットワークアドレスをさらに備える、請求項２１に記載の装置。
【請求項２７】
前記応答は、前記第１の局が前記ドメイン名システムサーバと通信するために使用することができるゲートウェイの媒体アクセス制御アドレスをさらに備える、請求項２１に記載の装置。
【請求項２８】
ワイヤレス通信における遅延を低減するための装置であって、
アクセスポイントが第１の局にリソースを割り振り、かつ同期するために、要求を前記アクセスポイントに送信するための手段と、前記要求は、要求されたネットワークアドレスを備える、
前記アクセスポイントから応答を受信するための手段と、前記応答は、前記アクセスポイントによって割り当てられたネットワークアドレスの少なくとも一部分、およびドメイン名システムサーバのネットワークアドレスを示し、前記割り当てられたネットワークアドレスは、前記要求されたネットワークアドレスおよび前記割り当てられたネットワークアドレスとは異なる前記ドメイン名システムサーバの前記ネットワークアドレスを備える、
を備える、装置。
【請求項２９】
ワイヤレス通信における遅延を低減する装置であって、
第１の局から認証要求フレームを受信するための手段と、
前記認証要求フレームに応答して、少なくとも前記第１の局についてのネットワークアドレス割当てサーバへのネットワークアドレス割当てについての要求、またはドメイン名システムサーバのネットワークアドレスについての要求を送信するための手段と、
前記ネットワークアドレス割当てサーバからの前記ネットワークアドレスの少なくとも一部分または前記ドメイン名システムサーバの前記ネットワークアドレスを受信するための手段と、
ネットワークアドレス割当てについての前記要求を送信した後、アクセスポイントが前記第１の局にリソースを割り振り、かつ同期するために、前記第１の局から要求を受信するための手段と、前記要求は、前記第１の局によって要求されたネットワークアドレスを備える、
応答を前記第１の局に送信するための手段と、前記応答は、前記アクセスポイントによって割り当てられたネットワークアドレスの前記少なくとも一部分、および前記ドメイン名システムサーバの前記ネットワークアドレスを備え、前記割り当てられたネットワークアドレスは、前記第１の局によって要求された前記ネットワークアドレスおよび前記割り当てられたネットワークアドレスとは異なる前記ドメイン名システムサーバの前記ネットワークアドレスを備える、
を備える、装置。
【請求項３０】
実行されると、プロセッサに、
アクセスポイントが第１の局にリソースを割り振り、かつ同期するために、局が、要求を前記アクセスポイントに送信することと、前記要求は、要求されたネットワークアドレスを備える、
前記局が、前記アクセスポイントから応答を受信することと、前記応答は、割り当てられたネットワークアドレスの少なくとも一部分、およびドメイン名システムサーバのネットワークアドレスを示し、前記割り当てられたネットワークアドレスは、前記要求された前記ネットワークアドレスおよび前記割り当てられたネットワークアドレスとは異なる前記ドメイン名システムサーバの前記ネットワークアドレスを備える、
を備える方法を実行させる命令を記憶する非一時的コンピュータ可読媒体。
【請求項３１】
実行されると、プロセッサに、
アクセスポイントにおいて、第１の局から認証要求フレームを受信することと、
前記認証要求フレームに応答して、少なくとも前記第１の局についてのネットワークアドレス割当てサーバへのネットワークアドレス割当てについての要求、またはドメイン名システムサーバのネットワークアドレスについての要求を送信することと、
前記ネットワークアドレス割当てサーバからの前記ネットワークアドレスの少なくとも一部分または前記ドメイン名システムサーバの前記ネットワークアドレスを受信することと、
ネットワークアドレス割当てについての前記要求を送信した後、前記アクセスポイントが前記第１の局にリソースを割り振り、かつ同期するために、前記第１の局から要求を受信することと、前記要求は、前記第１の局によって要求されたネットワークアドレスを備える、
応答を前記第１の局に送信することと、前記応答は、前記ネットワークアドレスの前記少なくとも一部分、および前記ドメイン名システムサーバの前記ネットワークアドレスを備え、前記割り当てられたネットワークアドレスは、前記第１の局によって要求された前記ネットワークアドレスおよび前記割り当てられたネットワークアドレスとは異なる前記ドメイン名システムサーバの前記ネットワークアドレスを備える、
を備える方法を実行させる命令を記憶する非一時的コンピュータ可読媒体。
【請求項３２】
前記アクセスポイントから前記応答を受信した後、前記第１の局が、前記アクセスポイントからマッピングを受信することをさらに備え、前記マッピングは、第２の局の対応する媒体アクセス制御アドレスにマッピングされた前記第２の局のネットワークアドレスを備える、請求項１に記載の方法。
【請求項３３】
前記第２の局は、ネットワークゲートウェイを備える、請求項３２に記載の方法。
【請求項３４】
前記第１の局に前記応答を送信した後、前記アクセスポイントが、マッピングを前記第１の局に送信することをさらに備え、前記マッピングは、第２の局の対応する媒体アクセス制御アドレスにマッピングされた前記第２の局のネットワークアドレスを備える、請求項８に記載の方法。
【請求項３５】
前記第２の局は、ネットワークゲートウェイを備える、請求項３４に記載の方法。
【請求項３６】
前記受信機は、前記アクセスポイントから前記応答を受信した後、前記アクセスポイントからマッピングを受信するようにさらに構成され、前記マッピングは、第２の局の対応する媒体アクセス制御アドレスにマッピングされた前記第２の局のネットワークアドレスを備える、請求項１４に記載の装置。
【請求項３７】
前記第２の局は、ネットワークゲートウェイを備える、請求項３６に記載の装置。
【請求項３８】
前記送信機は、前記応答を前記第１の局に送信した後、マッピングを前記第１の局に送信するようにさらに構成され、前記マッピングは、第２の局の対応する媒体アクセス制御アドレスにマッピングされた前記第２の局のネットワークアドレスを備える、請求項２１に記載の装置。
【請求項３９】
前記第２の局は、ネットワークゲートウェイを備える、請求項３８に記載の装置。
【手続補正２】
【補正対象書類名】明細書
【補正対象項目名】０１４８
【補正方法】変更
【補正の内容】
【０１４８】
[0166]  開示される別の態様は、ワイヤレス通信ネットワーク上の遅延を低減するシステムおよび方法である。本方法は、ネットワークアドレス割当てサーバから、対応するネットワークアクセス識別子への割り当てられたネットワークアドレスのマッピングを受信することと、ここにおいて、各ネットワークアクセス識別子は、ワイヤレス通信ネットワークへのアクセスを有するユーザを識別する、局から、局に割り当てられるべき要求されたネットワークアドレスを示す関連付け要求を受信することと、要求されたネットワークアドレスおよびマッピングに基づいてネットワークアドレスを局に割り当てることと、割り当てられたネットワークアドレスを示す関連付け応答を局に送信することとを含む。いくつかの態様では、本方法は、要求されたネットワークアドレスがマッピングによって局のネットワークアクセス識別子にマッピングされていない場合、ＩＰアドレスがネットワークアドレス割当てサーバによって局に割り当てられることを要求することも含む。いくつかの態様では、マッピングが要求されたネットワークアドレスを局のネットワークアクセス識別子にマッピングする場合、割り当てられたネットワークアドレスは要求されたネットワークアドレスである。いくつかの態様では、局のネットワークアクセス識別子は、局から受信された認証要求フレームによって示される。
以下に本願発明の当初の特許請求の範囲に記載された発明を付記する。
［Ｃ１］
ワイヤレス通信における遅延を低減する方法であって、
第１の局によって、関連付け要求をアクセスポイントに送信することと、
前記第１の局によって、前記アクセスポイントから関連付け応答を受信することと、前記関連付け応答は、前記アクセスポイントによって割り当てられた、割り当てられたネットワークアドレスの少なくとも一部分、または少なくとも１つのドメイン名システムサーバの少なくとも１つのネットワークアドレスを示す、
を備える方法。
［Ｃ２］
前記関連付け要求は、前記第１の局によって要求された、要求されたネットワークアドレスをさらに備え、ここにおいて、前記割り当てられたネットワークアドレスが、前記要求されたネットワークアドレスと同じである、Ｃ１に記載の方法。
［Ｃ３］
割り当てられたネットワークアドレスの前記少なくとも一部分は、インターフェース識別子を備える、Ｃ１に記載の方法。
［Ｃ４］
前記インターフェース識別子に基づいて、前記第１の局のインターネットプロトコルバージョン６ネットワークアドレスを決定することをさらに備える、Ｃ３に記載の方法。
［Ｃ５］
前記第１の局によって、第２の局の対応する媒体アクセス制御アドレスへの前記第２の局のインターネットプロトコルアドレスのマッピングを受信することをさらに備える、Ｃ１に記載の方法。
［Ｃ６］
割り当てられたネットワークアドレスの前記少なくとも一部分は、インターネットプロトコルバージョン４アドレスを備える、Ｃ１に記載の方法。
［Ｃ７］
前記関連付け応答は、前記少なくとも１つのドメイン名システムサーバのインターネットプロトコルアドレスをさらに備える、Ｃ１に記載の方法。
［Ｃ８］
前記関連付け応答は、前記局が前記ドメイン名システムサーバと通信するために使用することができる少なくとも１つのゲートウェイの少なくとも１つの媒体アクセス制御アドレスをさらに備える、Ｃ１に記載の方法。
［Ｃ９］
ワイヤレス通信における遅延を低減する方法であって、
アクセスポイントにおいて、第１の局から認証要求フレームを受信することと、
前記認証要求フレームに応答して、少なくとも前記第１の局についてのネットワークアドレス割当てサーバへのネットワークアドレス割当てについての要求、またはドメイン名システムサーバのネットワークアドレスについての要求を送信することと、
割り当てられたネットワークアドレスの少なくとも一部分または前記ドメイン名システムサーバの前記ネットワークアドレスを受信することと、
ネットワークアドレス割当てについての前記要求を送信した後、前記第１の局から関連付け要求を受信することと、
関連付け応答を前記第１の局に送信することと、前記関連付け応答は、割り当てられたネットワークアドレスの前記少なくとも一部分、または前記ドメイン名システムサーバの前記ネットワークアドレスを備える、
を備える方法。
［Ｃ１０］
前記関連付け要求に応答して、前記ネットワークアドレスの少なくとも一部分を前記第１の局に割り当てることをさらに備える、Ｃ９に記載の方法。
［Ｃ１１］
前記関連付け要求は、前記第１の局によって要求されたネットワークアドレスをさらに備える、Ｃ９に記載の方法。
［Ｃ１２］
割り当てられたネットワークアドレスの前記少なくとも一部分は、インターネットプロトコルバージョン６インターフェース識別子を備える、Ｃ９に記載の方法。
［Ｃ１３］
前記関連付け応答は、第２の局に割り当てられた対応するネットワークアドレスへの前記第２の局のネットワークアクセス識別子のマッピングをさらに備える、ここにおいて、前記ネットワークアクセス識別子は、前記第２の局を前記ワイヤレス通信ネットワークにアクセスできるものとして識別する、Ｃ９に記載の方法。
［Ｃ１４］
割り当てられたネットワークアドレスの前記少なくとも一部分は、インターネットプロトコルバージョン４アドレスを備える、Ｃ９に記載の方法。
［Ｃ１５］
前記関連付け応答は、前記第１の局が前記ドメイン名システムサーバと通信するために使用することができるゲートウェイの少なくとも１つの媒体アクセス制御アドレスをさらに備える、Ｃ９に記載の方法。
［Ｃ１６］
ワイヤレス通信における遅延を低減するための装置であって、
第１の局によって、関連付け要求をアクセスポイントに送信するように構成された送信機と、
前記第１の局によって、前記アクセスポイントから関連付け応答を受信するように構成された受信機と、前記関連付け応答は、前記第１の局に割り当てられたネットワークアドレスの少なくとも一部分またはドメイン名システムサーバのネットワークアドレスを示す、
を備える装置。
［Ｃ１７］
前記関連付け要求は、前記第１の局によって要求されたネットワークアドレスをさらに備える、Ｃ１６に記載の装置。
［Ｃ１８］
前記第１の局に割り当てられたネットワークアドレスの前記少なくとも一部分は、インターネットプロトコルバージョン６インターフェース識別子を備える、Ｃ１６に記載の装置。
［Ｃ１９］
前記インターフェース識別子に基づいて、前記ネットワークアドレスを決定することをさらに備える、Ｃ１８に記載の装置。
［Ｃ２０］
第２の局の対応する媒体アクセス制御アドレスへの前記第２の局のインターネットプロトコルアドレスのマッピングを受信することをさらに備える、Ｃ１６に記載の装置。
［Ｃ２１］
前記第１の局に割り当てられたネットワークアドレスの前記少なくとも一部分は、インターネットプロトコルバージョン４アドレスを備える、Ｃ１６に記載の装置。
［Ｃ２２］
前記関連付け応答は、前記ドメイン名システムサーバのネットワークアドレスをさらに備える、Ｃ１６に記載の装置。
［Ｃ２３］
前記関連付け応答は、前記第１の局が前記ドメイン名システムサーバと通信するために使用することができるゲートウェイの媒体アクセス制御アドレスをさらに備える、Ｃ１６に記載の装置。
［Ｃ２４］
ワイヤレス通信における遅延を低減するための装置であって、
アクセスポイントにおいて、第１の局から認証要求フレームを受信するように構成された受信機と、
前記認証要求フレームに応答して、少なくとも前記第１の局についてのネットワークアクセス割当てサーバへのネットワークアドレス割当てについての要求、またはドメイン名システムサーバのネットワークアドレスについての要求を送信するように構成された送信機とを備え、
前記受信機は、前記ネットワークアクセス割当てサーバからのネットワークアドレスの少なくとも一部分、または前記ドメイン名システムサーバの前記ネットワークアドレスを受信するようにさらに構成され、
前記受信機は、ネットワークアドレス割当てについての前記要求を送信した後、前記第１の局から関連付け要求を受信するようにさらに構成され、
前記送信機は、関連付け応答を前記第１の局に送信するようにさらに構成され、前記関連付け応答は、割り当てられたネットワークアドレスの前記少なくとも一部分、または前記ドメイン名システムサーバの前記ネットワークアドレスを備える、装置。
［Ｃ２５］
前記関連付け要求に応答して、前記ネットワークアドレスの少なくとも一部分を前記第１の局に割り当てることをさらに備える、Ｃ２４に記載の装置。
［Ｃ２６］
要求されたネットワークアドレスをさらに備える前記関連付け要求、Ｃ２４に記載の装置。
［Ｃ２７］
割り当てられたネットワークアドレスの前記少なくとも一部分は、インターネットプロトコルバージョン６インターフェース識別子を備える、Ｃ２４に記載の装置。
［Ｃ２８］
前記関連付け応答は、第２の局について対応するネットワークアクセス識別子への前記第２の局のネットワークアドレスのマッピングをさらに備える、ここにおいて、前記ネットワークアクセス識別子は、前記第２の局を前記ワイヤレス通信ネットワークへのアクセスを有するものとして識別する、Ｃ２４に記載の装置。
［Ｃ２９］
割り当てられたネットワークアドレスの前記少なくとも一部分は、インターネットプロトコルバージョン４アドレスを備える、Ｃ２４に記載の装置。
［Ｃ３０］
前記関連付け応答は、前記ドメイン名システムサーバのネットワークアドレスをさらに備える、Ｃ２４に記載の装置。
［Ｃ３１］
前記関連付け応答は、前記第１の局が前記ドメイン名システムサーバと通信するために使用することができるゲートウェイの媒体アクセス制御アドレスをさらに備える、Ｃ２４に記載の装置。
［Ｃ３２］
ワイヤレス通信における遅延を低減するための装置であって、
関連付け要求をアクセスポイントに送信するための手段と、
前記アクセスポイントから関連付け応答を受信するための手段と、前記関連付け応答は、前記アクセスポイントによって割り当てられたネットワークアドレスの少なくとも一部分、またはドメイン名システムサーバのネットワークアドレスを示す、
を備える装置。
［Ｃ３３］
ワイヤレス通信における遅延を低減する方法であって、
第１の局から認証要求フレームを受信するための手段と、
前記認証要求フレームに応答して、少なくとも前記第１の局についてのネットワークアドレス割当てサーバへのネットワークアドレス割当てについての要求、またはドメイン名システムサーバのネットワークアドレスについての要求を送信するための手段と、
前記ネットワークアドレス割当てサーバからの前記ネットワークアドレスの少なくとも一部分または前記ドメイン名システムサーバの前記ネットワークアドレスを受信するための手段と、
ネットワークアドレス割当てについての前記要求を送信した後、前記第１の局から関連付け要求を受信するための手段と、
関連付け応答を前記第１の局に送信するための手段と、前記関連付け応答は、アクセスポイントによって割り当てられたネットワークアドレスの前記少なくとも一部分、または前記ドメイン名システムサーバの前記ネットワークアドレスを備える、
を備える方法。
［Ｃ３４］
実行されると、プロセッサに、
局によって、関連付け要求をアクセスポイントに送信することと、
前記局によって、前記アクセスポイントから関連付け応答を受信することと、前記関連付け応答は、割り当てられたネットワークアドレスの少なくとも一部分またはドメイン名システムサーバのネットワークアドレスを示す、
を備える方法を実行させる命令を記憶する非一時的コンピュータ可読媒体。
［Ｃ３５］
実行されると、プロセッサに、
アクセスポイントにおいて、第１の局から認証要求フレームを受信することと、
前記認証要求フレームに応答して、少なくとも前記第１の局についてのネットワークアドレス割当てサーバへのネットワークアドレス割当てについての要求、またはドメイン名システムサーバのネットワークアドレスについての要求を送信することと、
前記ネットワークアドレス割当てサーバからの前記ネットワークアドレスの少なくとも一部分または前記ドメイン名システムサーバの前記ネットワークアドレスを受信することと、
ネットワークアドレス割当てについての前記要求を送信した後、前記第１の局から関連付け要求を受信することと、
関連付け応答を前記第１の局に送信することと、前記関連付け応答は、前記ネットワークアドレスの前記少なくとも一部分、または前記ドメイン名システムサーバの前記ネットワークアドレスを備える、
を備える方法を実行させる命令を記憶する非一時的コンピュータ可読媒体。